(57)【要約】【課題】マスストレージモード中であっても着信を取りこぼすことなくユーザビリティの向上をはかる。【解決手段】携帯無線端末装置３は、コンピュータ（ＰＣ１）がＵＳＢ接続されるとネゴシエーション処理を実行し、当該ネゴシエーション処理を完了すると通信部を使用不可状態に遷移させる処理を実行し、コンピュータ（ＰＣ１）は、ネゴシエーション処理完了後に、通信部が使用不可状態に遷移されると、所定時間の計時を開始するとともに、当該所定時間が経過するまで記憶部に書き込むあるいは読み出すデータを携帯無線端末装置３に伝送する処理と、所定時間が経過すると通信部の通信可状態への遷移を携帯無線端末装置３に要求する処理と、携帯無線端末装置３による着信監視処理の結果、着信が生じていなければ再度通信部を使用不可状態に遷移するよう要求する処理と、を実行する。【選択図】図１
2008278060.tif 000002
【特許請求の範囲】
【請求項１】
ネットワークに無線接続する通信部と、各種データを記憶する第１の記憶部と、所定のプロトコルにしたがいデータ伝送可能な第１のインターフェースと、前記通信部が使用可状態のときには前記通信部により着信を監視する着信監視処理、および前記記憶部にアクセスして読み出し処理あるいは書込み処理を実行可能な制御を行う第１の制御部と、を備える携帯無線端末装置と、
前記第１のインターフェースに接続して信号伝送する第２のインターフェースと、各種データを記憶する第２の記憶部と、前記第２のインターフェースおよび前記第１のインターフェースを介して前記携帯無線端末装置との間でデータ伝送制御を行う第２の制御部と、を備えるコンピュータと、を含んで構成されるデータ処理システムであって、
前記第１の制御部は、
前記携帯無線端末装置と前記コンピュータが前記第１および第２のインターフェースにより接続されるとネゴシエーション処理を実行し、当該ネゴシエーション処理を完了すると前記通信部を使用不可状態に遷移させる処理を実行可能とし、
前記第２の制御部は、
前記ネゴシエーション処理完了後に、前記通信部が使用不可状態に遷移されると、所定時間の計時を開始するとともに、前記所定時間が経過するまで前記記憶部に書き込むあるいは読み出すデータを前記携帯無線端末装置に伝送する処理と、前記所定時間が経過すると前記通信部の通信可状態への遷移を前記携帯無線端末装置に要求する処理と、前記携帯無線端末装置による前記着信監視処理の結果、着信が生じていなければ再度前記通信部を使用不可状態に遷移するよう要求する処理と、を実行可能である
ことを特徴とするデータ処理システム。
【請求項２】
前記第２の制御部は、
前記通信部を使用可状態に遷移するよう要求して後、前記着信監視処理の結果を要求し、
前記第１の制御部は、
前記着信監視処理が完了するまでの間は前記結果の要求に対し、前記通信部を介して所定の信号を返答する
ことを特徴とする請求項１に記載のデータ処理システム。
【請求項３】
前記第１の制御部は、
前記着信監視処理において、前記通信部により前記ネットワークを介して接続されるメールサーバと通信を行ない、未受信メールの蓄積の有無を確認する
ことを特徴とする請求項１または２に記載のデータ処理システム。
【請求項４】
前記第１の制御部は、
前記書き込み処理が完了すると前記通信部を使用不可状態に遷移させる
ことを特徴とする請求項１から３のいずれか一項に記載のデータ処理システム。
【請求項５】
前記所定のプロトコルは、ＵＳＢプロトコルである
ことを特徴とする請求項１から４のいずれか一項に記載のデータ処理システム。
【請求項６】
ネットワークに無線接続する通信部と、各種データを記憶する第１の記憶部と、所定のプロトコルにしたがいデータ伝送可能な第１のインターフェースと、前記通信部により着信を監視する着信監視処理と、前記第１の記憶部にアクセスして読み出し処理あるいは書き込み処理とを実行可能な制御を行う第１の制御部とを備える携帯無線端末装置と、
前記第１のインターフェースに接続可能な第２のインターフェースと、各種データを記憶する第２の記憶部と、前記第２のインターフェースおよび第１のインターフェースを介して前記携帯無線端末装置との間でデータ伝送制御を行う第２の制御部とを備えるコンピュータとを含んで構成されるデータ処理システムにおける伝送方法であって、
前記第１のインターフェースと前記第２のインターフェースとを介して前記携帯無線端末装置と前記コンピュータとの間でネゴシエーション処理を実行するステップと、
前記携帯無線端末装置において前記ネゴシエーション処理が完了すると前記通信部を使用不可状態に遷移させるステップと、
前記携帯無線端末装置において前記通信部を使用不可状態に遷移させると、前記第１のインターフェースを介して前記コンピュータへ前記通信部が使用不可状態に遷移したことを通知するステップと、
前記コンピュータにおいて前記通信部が使用不可状態に遷移したことが通知されると所定時間の計時を開始するステップと、
前記所定時間中に前記コンピュータと前記携帯無線端末装置との間で、前記記憶部に書き込むあるいは読み出すデータを伝送するステップと、
前記コンピュータにおいて所定時間が経過すると前記データ伝送を停止して前記通信部を使用可状態に切り替えるよう前記携帯無線端末装置に通知させるステップと、
前記使用可状態への切り替えが通知されると、前記携帯無線端末装置に対し、前記通信部を使用可状態に切り替えて前記着信監視処理を行なわせるステップと、
前記着信監視処理が完了する、あるいは所定時間の経過により前記携帯無線端末装置に対して通信部を使用不可状態に切り替えさせるステップと、
を備えることを特徴とするデータ伝送方法。
【請求項７】
前記所定のプロトコルは、ＵＳＢプロトコルである
ことを特徴とする請求項６に記載のデータ伝送方法。
【請求項８】
ネットワークに無線接続する通信部と、
各種データを記憶する記憶部と、
所定のプロトコルにしたがいデータ伝送可能なインターフェースと、
前記通信部を使用可状態としているときには前記通信部により着信を監視する着信監視処理と、前記記憶部にアクセスして読み出し処理あるいは書き込み処理とを実行可能な制御を行う制御部と、
前記インターフェースに接続される外部機器に、前記携帯無線端末装置との間でデータ伝送制御を行わせる処理手順が格納される記憶媒体とを備え、
前記制御部は、
前記インターフェースに前記外部機器が接続されるとネゴシエーション処理を行うとともに、当該ネゴシエーション処理を完了すると前記通信部を使用不可状態に遷移させる処理を実行可能であり、
前記記憶媒体は、
前記外部機器に前記通信部が使用不可状態に遷移されると、所定時間の計時を開始させるとともに、前記所定時間が計時されるまで前記記憶部に書き込むあるいは読み出すデータを前記携帯無線端末装置に伝送させる処理と、前記所定時間が計時されると前記通信部の通信可状態への遷移を前記携帯無線端末装置に要求させる処理と、前記携帯無線端末装置での前記着信監視処理の結果、着信が生じていなければ、再度、前記通信部を使用不可状態に遷移するよう要求させる処理とを記録する
ことを特徴とする携帯無線端末装置。
【請求項９】
前記所定のプロトコルは、ＵＳＢプロトコルである
ことを特徴とする請求項８に記載の携帯無線端末装置。
【発明の詳細な説明】
【技術分野】
【０００１】
本発明は、ＰＣ等のホスト機器と携帯無線端末装置とがＵＳＢ（Universal Serial Bus）等のインターフェースを介して接続されるデータ処理システム、および同システムにおけるデータ伝送方法、ならびに携帯無線端末装置に関する。
【背景技術】
【０００２】
ＵＳＢ通信のマスストレージクラスの転送プロトコルに対応した、メモリカード等外部メモリが実装される携帯電話等の携帯無線端末装置を、ＰＣ等ホスト機器のＵＳＢインターフェースに接続してマスストレージデバイス（ここでは、リムーバブルメディア）として使用することのできるＵＳＢマスストレージ技術が知られている。
【０００３】
図６に、ＵＳＢマスストレージ技術におけるマスストレージモード開始／終了シーケンスの一例が示されている。ここでは、ＰＣ等のホスト機器、携帯電話に実装されるＵＳＢドライバおよびマスストレージアプリ、そして、通信の制御を行うプロトコル間処理の流れが示されている。以下にその処理の流れを簡単に説明する。
【０００４】
まず、ＰＣと携帯電話との間にＵＳＢケーブルが接続されると（ステップＳ６０１）、ＵＳＢドライバは、携帯電話（に実装された外部メモリ）をマスストレージデバイスとして扱うために、ＰＣからのデータの読み出しや書き込みに応答してデータフォルダの制御を行なうマスストレージアプリに対してＵＳＢケーブル接続通知を発行する（ステップＳ６０２）。これを受けた携帯電話は、アプリケーションプログラムの一つとして実装されるマスストレージアプリを起動し（ステップＳ６０３）、ユーザにＵＳＢモード選択を促すための画面表示を行う（ステップＳ６０４）。そして、ユーザ操作によるマスストレージモード選択が行なわれると（ステップＳ６０５）、プロトコルに対して電波ＯＦＦ設定要求を発行する（ステップＳ６０６）。
【０００５】
一方、プロトコルは、電波ＯＦＦを設定して携帯電話を通信不可状態に設定した後、マスストレージアプリに対して電波ＯＦＦ設定完了通知を発行し（ステップＳ６０７）、これを受けたマスストレージアプリは、ＵＳＢドライバに対し、携帯電話をＵＳＢデバイスとして扱うＵＳＢモード（マスストレージモード）の設定を行う（ステップＳ６０８）。ＰＣは、ＵＳＢデバイスが接続されていることを、接続されたＵＳＢケーブルが有するＤ＋ラインがプルアップされていることにより検知し（ステップＳ６０９）、以降、ＰＣとＵＳＢドライバとの間でネゴシエーション処理が実行される（ステップＳ６１０）。
ここで、ネゴシエーション処理とは、ＰＣが携帯電話に実装されたＵＳＢドライバとの間で利用できる動作スピード（１２Ｍｂｐｓか４８０Ｍｂｐｓ）等の仕様確認を行い、かつ、携帯電話に接続された外部メモリがマスストレージモードで動作することを認識する処理であり、ＰＣは、このネゴシエーション処理の完了を待ち（ステップＳ６１１）、自身のマスストレージ用アプリケーションプログラムの起動を行い（ステップＳ６１３）、また、ＵＳＢドライバは、携帯電話のマスストレージアプリに対してＵＳＢネゴシエーション完了通知を発行する（ステップＳ６１２）。このことにより、ＰＣと携帯電話との間でＵＳＢプロトコルによるデータ転送が開始される（ステップＳ６１４）。
【０００６】
一方、データ転送が終了し、あるいは不測の事態が発生してＵＳＢケーブルが切断された場合（ステップＳ６１５）、ＰＣはこれを検知してマスストレージ用アプリケーションプログラムの実行を終了し（ステップＳ６１６）、また、ＵＳＢドライバは、携帯電話のマスストレージアプリに対してＵＳＢケーブル切断通知を発行する（ステップＳ６１７）。これを受けてマスストレージ用アプリは、プロトコルに対して電波ＯＦＦ解除要求を発行し（ステップＳ６１８）、これを受けたプロトコルは携帯電話を通信可状態に復旧させ、マスストレージアプリに対して、電波ＯＦＦ解除完了通知を発行する（ステップＳ６１９）。そして、携帯電話本体はマスストレージアプリを終了させることにより上記したマスストレージモード開始／終了の一連のシーケンスを終了する（ステップＳ６２０）。
【０００７】
上記したＵＳＢマスストレージ技術を用い、例えば、マスストレージデバイスのデータ転送中のケーブル抜けによるデータ破損を防ぐＵＳＢストレージ機器（例えば、特許文献１参照）、マスストレージデバイスのデータ転送中における電池切れによる記憶装置の破損、データ損失を防ぐデータ伝送システム（例えば、特許文献２参照）も知られている。
【特許文献１】特開２００７−２６００５号公報
【特許文献２】特開２００４−３８４１１号公報
【発明の開示】
【発明が解決しようとする課題】
【０００８】
携帯電話をマスストレージデバイスとして使用する場合、上記したケーブル抜けや電池切れを監視するのは勿論のこと、ＵＳＢ通信等によるデータ転送中に、無線通信による音声着信やメール受信等があった場合にも記憶領域の破損やデータ損失などが懸念される。
このため、携帯電話がマスストレージモードで動作中は、一旦電波ＯＦＦモードに設定され（図６のステップＳ６０５〜Ｓ６０７）、したがって、音声着信やメール受信等の無線通信はできない状態になる。これでは折角の着信機会を逸することになり、ユーザは、ＵＳＢケーブルを接続してマスストレージモードを選択する際に無線通信ができないことを意識する必要があり、このため、ユーザビリティが悪化する。
【０００９】
本発明は、マスストレージモード中であっても着信を取りこぼすことなくユーザビリティの向上をはかった、データ処理システム、およびデータ伝送方法、ならびに携帯無線端末装置を提供することを目的とする。
【課題を解決するための手段】
【００１０】
上記した課題を解決するために本発明のデータ処理システムは、ネットワークに無線接続する通信部と、各種データを記憶する第１の記憶部と、所定のプロトコルにしたがいデータ伝送可能な第１のインターフェースと、前記通信部が使用可状態のときには前記通信部により着信を監視する着信監視処理、および前記記憶部にアクセスして読み出し処理あるいは書込み処理を実行可能な制御を行う第１の制御部と、を備える携帯無線端末装置と、前記第１のインターフェースに接続して信号伝送する第２のインターフェースと、各種データを記憶する第２の記憶部と、前記第２のインターフェースおよび前記第１のインターフェースを介して前記携帯無線端末装置との間でデータ伝送制御を行う第２の制御部と、を備えるコンピュータと、を含んで構成されるデータ処理システムであって、前記第１の制御部は、前記携帯無線端末装置と前記コンピュータが前記第１および第２のインターフェースにより接続されるとネゴシエーション処理を実行し、当該ネゴシエーション処理を完了すると前記通信部を使用不可状態に遷移させる処理を実行可能とし、前記第２の制御部は、前記ネゴシエーション処理完了後に、前記通信部が使用不可状態に遷移されると、所定時間の計時を開始するとともに、前記所定時間が経過するまで前記記憶部に書き込むあるいは読み出すデータを前記携帯無線端末装置に伝送する処理と、前記所定時間が経過すると前記通信部の通信可状態への遷移を前記携帯無線端末装置に要求する処理と、前記携帯無線端末装置による前記着信監視処理の結果、着信が生じていなければ再度前記通信部を使用不可状態に遷移するよう要求する処理と、を実行可能である。
【００１１】
また、本発明のデータ処理システムにおいて、前記第２の制御部は、前記通信部を使用可状態に遷移するよう要求して後、前記着信監視処理の結果を要求し、前記第１の制御部は、前記着信監視処理が完了するまでの間は前記結果の要求に対し、前記通信部を介して所定の信号を返答するように構成してもよい。
【００１２】
また、本発明のデータ処理システムにおいて、前記第１の制御部は、前記着信監視処理において、前記通信部により前記ネットワークを介して接続されるメールサーバと通信を行ない、未受信メールの蓄積の有無を確認するように構成してもよい。
【００１３】
また、本発明のデータ処理システムにおいて、前記第１の制御部は、前記書き込み処理が完了すると前記通信部を使用不可状態に遷移させるように構成してもよい。
【００１４】
また、本発明のデータ処理システムにおいて、前記所定のプロトコルは、ＵＳＢプロトコルであるように構成してもよい。
【００１５】
上記した課題を解決するために本発明のデータ処理システムにおけるデータ伝送方法は、ネットワークに無線接続する通信部と、各種データを記憶する第１の記憶部と、所定のプロトコルにしたがいデータ伝送可能な第１のインターフェースと、前記通信部により着信を監視する着信監視処理と、前記第１の記憶部にアクセスして読み出し処理あるいは書き込み処理とを実行可能な制御を行う第１の制御部とを備える携帯無線端末装置と、前記第１のインターフェースに接続可能な第２のインターフェースと、各種データを記憶する第２の記憶部と、前記第２のインターフェースおよび第１のインターフェースを介して前記携帯無線端末装置との間でデータ伝送制御を行う第２の制御部とを備えるコンピュータとを含んで構成されるデータ処理システムにおける伝送方法であって、前記第１のインターフェースと前記第２のインターフェースとを介して前記携帯無線端末装置と前記コンピュータとの間でネゴシエーション処理を実行するステップと、前記携帯無線端末装置において前記ネゴシエーション処理が完了すると前記通信部を使用不可状態に遷移させるステップと、前記携帯無線端末装置において前記通信部を使用不可状態に遷移させると、前記第１のインターフェースを介して前記コンピュータへ前記通信部が使用不可状態に遷移したことを通知するステップと、前記コンピュータにおいて前記通信部が使用不可状態に遷移したことが通知されると所定時間の計時を開始するステップと、前記所定時間中に前記コンピュータと前記携帯無線端末装置との間で、前記記憶部に書き込むあるいは読み出すデータを伝送するステップと、前記コンピュータにおいて所定時間が経過すると前記データ伝送を停止して前記通信部を使用可状態に切り替えるよう前記携帯無線端末装置に通知させるステップと、前記使用可状態への切り替えが通知されると、前記携帯無線端末装置に対し、前記通信部を使用可状態に切り替えて前記着信監視処理を行なわせるステップと、前記着信監視処理が完了する、あるいは所定時間の経過により前記携帯無線端末装置に対して通信部を使用不可状態に切り替えさせるステップと、を備える。
【００１６】
また、本発明のデータ伝送方法において、前記所定のプロトコルは、ＵＳＢプロトコルであるように構成してもよい。
【００１７】
上記した課題を解決するために本発明の携帯端末装置は、ネットワークに無線接続する通信部と、各種データを記憶する記憶部と、所定のプロトコルにしたがいデータ伝送可能なインターフェースと、前記通信部を使用可状態としているときには前記通信部により着信を監視する着信監視処理と、前記記憶部にアクセスして読み出し処理あるいは書き込み処理とを実行可能な制御を行う制御部と、前記インターフェースに接続される外部機器に、前記携帯無線端末装置との間でデータ伝送制御を行わせる処理手順が格納される記憶媒体とを備え、前記制御部は、前記インターフェースに前記外部機器が接続されるとネゴシエーション処理を行うとともに、当該ネゴシエーション処理を完了すると前記通信部を使用不可状態に遷移させる処理を実行可能であり、前記記憶媒体は、前記外部機器に前記通信部が使用不可状態に遷移されると、所定時間の計時を開始させるとともに、前記所定時間が計時されるまで前記記憶部に書き込むあるいは読み出すデータを前記携帯無線端末装置に伝送させる処理と、前記所定時間が計時されると前記通信部の通信可状態への遷移を前記携帯無線端末装置に要求させる処理と、前記携帯無線端末装置での前記着信監視処理の結果、着信が生じていなければ、再度、前記通信部を使用不可状態に遷移するよう要求させる処理とを記録する。
【００１８】
また、本発明のデータ携帯無線端末装置において、前記所定のプロトコルは、ＵＳＢプロトコルであるように構成してもよい。
【発明の効果】
【００１９】
本発明によれば、マスストレージモード中であっても無線通信を可能とすることによりユーザビリティの向上をはかった、データ処理システム、およびデータ伝送方法、ならびに携帯無線端末装置を提供することができる。
【発明を実施するための最良の形態】
【００２０】
図１は、本発明の実施の形態に係るデータ処理システムの接続構成の一例を示す図であり、ここでは、ホスト機器としてのＰＣ１と、無線携帯端末としての外部メモリ（後述する記憶部３７）が実装された携帯電話３とがＵＳＢケーブル２を介して接続される例が示されている。
【００２１】
図１に示されるように、ＰＣ１と携帯電話３は、それぞれＵＳＢインターフェース１０、ＵＳＢインターフェース３０をスロットに実装しており、両者は、一対の信号線（Ｄ＋、Ｄ−）と一対の電源線（Ｖｃｃ、ＧＮＤ）とを含む少なくとも４本のケーブルで構成されるＵＳＢケーブル２を介して接続されている。なお、携帯電話３には、マスストレージデバイスとして使用されるメモリカード等の外部メモリ（後述する記憶部３７）が実装されているものとする。
【００２２】
図２は、図１に示す携帯電話３の内部構成を示すブロック図である。図２に示されるように、携帯電話３は、ＰＣ１とはＵＳＢインターフェース３０を介し、また、不図示の基地局を含む網側装置（後述するメールサーバ等）とは同じく不図示のネットワークを介してそれぞれ接続され、ＵＳＢインターフェース３０によりＰＣ１と交信を行なうとともに、上記した網側装置との間で捕捉した通信システムで所定のプロトコルにしたがう通信を行なう。
このため、携帯電話３は、通信部３１と、操作部３２と、音声処理部３３と、スピーカ（ＳＰ）３４と、マイクロフォン（ＭＩＣ）３５と、表示部３６と、記憶部３７と、制御部３８とにより構成される。
【００２３】
通信部３１は、複数の通信システムを捕捉し、例えば、ＣＤＭＡ２０００ １ｘやＥＶＤＯの通信プロトコルにしたがい、通信網に接続される不図示の基地局を含む網側装置との間で無線通信を行う。
【００２４】
また、操作部３２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部３８に入力する。
【００２５】
音声処理部３３は、ＳＰ３４から出力される音声信号やＭＩＣ３５において入力される音声信号の処理を行う。
すなわち、音声処理部３３は、ＭＩＣ３５から入力される音声を増幅し、アナログ／デジタル変換を行い、更に符号化等の信号処理を施し、デジタルの音声データに変換して制御部３８に出力する。
また、音声処理部３３は、制御部３８から供給される音声データに復号化、デジタル／アナログ変換、増幅等の信号処理を施し、アナログの音声信号に変換してＳＰ３４に出力する。
【００２６】
表示部３６は、例えば、液晶表示パネルや有機ＥＬ（Electro-Luminescence）パネルなどの表示デバイスを用いて構成されており、制御部３８から供給される映像信号に応じた画像を表示する。
表示部３６は、例えば、発信時における発信先の電話番号、着信時における着信相手の電話番号、受信メールや送信メールの内容、日付、時刻、電池残量、発信成否、待ち受け画面などの各種の情報や画像を、
また、ここでは、表示部３６は、制御部３８による制御の下、音声着信が生じると、データ伝送処理の完了の可否を問う画面を表示する。
【００２７】
記憶部３７は、制御部３８において処理に利用される各種のデータを記憶する。記憶部３７は、例えば、制御部３８が実行するアプリケーションプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。ここに示される記憶部３７は、アプリケーションプログラムが常駐する主メモリとしての役割の他に、上記した各種ファイルが一時的に格納される図１の外部メモリとしての役割も有するものとする。
なお、記憶部３７は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２８】
制御部３８は、携帯電話の全体的な動作を統括的に制御する。すなわち、携帯電話の各種の処理（回線交換網を介して行われる音声通話、電子メールの作成と送受信、インターネットのＷｅｂ（World Wide Web）サイトの閲覧などの他に、ＵＳＢマスストレージデバイスとしての制御）が操作部３２の操作に応じて適切な手順で実行されるように、上述した各ブロックの動作（通信部３１における信号の送受信、音声処理部３３における音声の入出力、表示部３６における画像の表示など）を制御する。
制御部３８は、記憶部３７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部３７に格納されるオペレーティングシステムやアプリケーションプログラム等のプログラムから命令コードを順次読み込んで処理を実行する。
【００２９】
制御部３８はまた、通信部３１が使用可状態のときには通信部３１により着信を監視する着信監視処理、および記憶部３７にアクセスして読み出し処理あるいは書込み処理を実行可能な制御を行う機能を有する。具体的に、制御部３８は、ＰＣ１がＵＳＢ接続されるとネゴシエーション処理を実行し、当該ネゴシエーション処理を完了すると通信部３１を使用不可状態に遷移させる処理を実行する。また、書き込み処理が完了すると通信部３１を使用不可状態に遷移させる処理も実行する。
制御部３８は更に、着信監視処理において、通信部３１によりネットワークを介して接続されるメールサーバと通信を行ない、未受信メールの蓄積の有無を確認し、着信監視処理が完了するまでの間はＰＣ１から発行される結果の取得要求に対し、通信部３１を介して所定の信号を返答する機能を有する。
【００３０】
このため、制御部３８は、その内部構成が機能展開され示されているように、主制御部３８０と、ＵＳＢドライバ制御部３８１と、マスストレージクラス制御部３８２と、通信処理部３８３とにより構成される。
主制御部３８０は、通信部３１による着信の監視を行う着信監視処理と、記憶部３７をアクセスして読み出しあるいは書き込むデータをＵＳＢインターフェース３０により伝送するデータ伝送処理とを実行する際の制御中枢となり、そのためのシーケンス制御を司る。
【００３１】
ＵＳＢドライバ制御部３８１は、ＵＳＢプロトコルにしたがうネゴシエーション処理や、トークン／データ／パケットの転送処理を行なうために用意されるＵＳＢドライバソフトウェアを実行制御し、また、マスストレージクラス制御部３８２は、記憶部３７をマスストレージデバイスとして扱うために、上記したＵＳＢドライバ制御部３８１と協働してＰＣ１からのデータの読み出しや書き込みに応答してデータフォルダの制御を行なうマスストレージアプリ（以下、単にＭＳＡＰＬという）を実行制御する機能を有する。
【００３２】
通信処理部３８３は、マスストレージクラス制御部３８２による指示に基づく主制御部３８０による制御にしたがい着信監視処理を実行し、当該着信監視処理が完了すると通信部３１を使用不可状態に遷移させる機能を有する。ここで、着信処理とは、通信部３１を介してネットワークに接続される網側装置（ここではメールサーバ）と通信を行ない、未受信メールの蓄積の有無を確認することをいう。
【００３３】
主制御部３８０は、マスストレージクラス制御部３８２によるＭＳＡＰＬを実行して、データ伝送に関する指示が読み出し指示であった場合、記憶部３７からのデータ読み出しは通信部３１が使用不可状態のときに行い、通信部３１が使用可状態のときは行なわない。また、データ伝送に関する指示が書き込み指示であった場合、記憶部３７へのデータ書き込みは通信部３１が使用不可状態のときに行い、通信部３１が使用可状態のときは行なわない。以下にその詳細を説明する。
【００３４】
図３は、図１に示すホスト機器（ＰＣ１）の内部構成を示すブロック図である。図３に示されるように、本発明のコンピュータとして機能するＰＣ１は、携帯無線端末装置としての携帯電話３とはＵＳＢケーブル２を介して接続され、ＵＳＢインターフェース１０とＵＳＢインターフェース３０とにより携帯電話３と交信を行なう。
図３に示されるように、ＰＣ１は、制御中枢となるＣＰＵ１１と、主メモリ１２と、ＨＤコントローラ１３と、ＫＢコントローラ１４と、表示コントローラ１５と、ＵＳＢインターフェース３０とが、アドレスデータコントロールのためのラインが複数本で構成されるシステムバス１７に共通接続され、構成される。
【００３５】
主メモリ１２には、マスストレージ用アプリが格納されており、ＣＰＵ１１は、主メモリ１２に格納されたマスストレージ用アプリを逐次読み出し実行することにより、ＵＳＢインターフェース３０および携帯電話３に実装されたＵＳＢインターフェース３０を介し携帯無線端末装置３（記憶部３７）をマスストレージデバイスとしてデータ伝送制御を行う。
具体的に、ＣＰＵ１１は、携帯電話３とのネゴシエーション処理完了後に、携帯電話３の通信部３１が使用不可状態に遷移されると、所定時間の計時を開始するとともに、当該所定時間が経過するまで携帯電話３に実装された記憶部３７に書き込む、あるいは読み出すデータを伝送する処理と、所定時間が経過すると通信部３１の通信可状態への遷移を携帯電話３に要求する処理と、携帯電話３による着信監視処理の結果、着信が生じていなければ、再度、携帯電話３の通信部３１を使用不可状態に遷移するように要求する処理と、を実行する。
【００３６】
一方、ＨＤコントローラ１３には、ＨＤＤ（Hard Disc Drive）等の大容量メモリが接続され、システムバス１７を介してＣＰＵ１１からリードライトコマンドを受信し、ＨＤＤの目的トラック位置にヘッドを移動させ実際のリードライトを行い、ＣＰＵ１１との間でデータ転送を行なう。また、ＫＢコントローラ１４にはＫＢ（Key-Board：操作部）やマウス等の入力装置が接続され、ユーザにより操作入力されたデータは、システムバス１７を介してＣＰＵ１１より取り込まれる。また、表示コントローラ１５にはＬＣＤ等の表示デバイスが接続され、ＣＰＵ１１により生成されるデータを、例えば、主メモリ１２のＶＲＡＭ（Video RAM）領域からＬＣＤの表示タイミングに同期して読み出し、ＬＣＤに表示する。
なお、ＵＳＢインターフェース３０は上記したとおりであり、重複を回避する意味で説明を省略する。ここではＵＳＢデバイスとして携帯電話３が接続され、ＵＳＢケーブル２を介して形態電話が接続されるとＣＰＵ１１は、実装されているＯＳ（Operating System）により自動認識され処理に必要なＵＳＢドライバがインストールされる仕組みになっている。
【００３７】
図４、図５は、本発明の実施の形態に係るデータ処理システムの動作を説明するために示した図であり、マスストレージモード中の着信問い合わせシーケンス（図４）、マスストレージモード中に着信があった場合のシーケンス（図５）、のそれぞれを示す。
図４、図５のいずれも、ＰＣ１に実装されるマスストレージ用アプリ（ＣＰＵ１１）と、携帯電話３に実装されるＵＳＢドライバ（ＵＳＢドライバ制御部３８１）、マスストレージ用アプリＭＳＡＰＬ（マスストレージクラス制御部３８２）間の動作の流れが示されている。
【００３８】
以下、図４、図５に示すシーケンス図を参照しながら、図１〜図３に示す本発明の実施の形態に係るデータ処理システムの動作について詳細に説明する。
【００３９】
まず、図４のシーケンス図を参照しながら、マスストレージモード中の着信問い合わせシーケンスについて説明する。
【００４０】
まず、ＰＣ１と携帯電話３が有するＵＳＢインターフェース１０、３０との間にＵＳＢケーブル２が接続され、これら機器間でＵＳＢ転送を開始するにあたり、ＰＣ１と携帯電話３の制御部３８（ＵＳＢドライバ制御部３８１）との間で、ＵＳＢネゴシエーション処理が実行される（ステップＳ４０１）。ここで、ＵＳＢネゴシエーション処理とは、例えば、図６のシーケンス図に示されるように、ＰＣ１が携帯電話３の接続を検知し（例えば、ＵＳＢケーブル２のＤ＋ラインのプルアップ接続による）、ＰＣ１が携帯電話３に実装されたＵＳＢドライバとの間で利用できる動作スピード（１２Ｍｂｐｓか４８０Ｍｂｐｓ）の仕様確認を行い、かつ、携帯電話３に接続された外部メモリ（図２の記憶部３７）がマスストレージモードで動作することを認識する処理である。
【００４１】
上記したネゴシエーション処理が完了すると、ＵＳＢドライバ制御部３８１（ＵＳＢドライバ）は、電波ＯＦＦ設定中で動作中（ステップＳ４０２）のＭＳＡＰＬ（マスストレージクラス制御部３８２）に対してＵＳＢネゴシエーション完了通知を発行する（ステップＳ４０３）。
【００４２】
ところで、電波ＯＦＦとは、通信部３１からの電波の送受信を停止する機能のことである。網との通信を行うための通信プロトコルを司るアプリケーションプログラムから、電波ＯＦＦが要求されることにより、通信部３１の送受信動作が停止される状態のことである。この状態では当然ながら無線通信を行わない。
【００４３】
一方、ＰＣ１（ＣＰＵ１１）は、ＵＳＢネゴシエーション処理完了をうけて主メモリ１２に格納されているマスストレージ用アプリを起動し（ステップＳ４０４）、当該マスストレージ用アプリにて着信問い合わせタイマを起動する（ステップＳ４０５）。そして、携帯電話３の制御部３８（ＵＳＢドライバ制御部３８１）に対してバルクモードでのデータ転送要求（ＷＲＩＴＥ ＤＡＴＡ）を発行し（ステップＳ４０６）、ＯＵＴトークンと転送データとを送信する（それぞれステップＳ４０７、Ｓ４０８）。
これを受けたＵＳＢドライバ制御部３８１は、主制御部３８０経由で記憶部３７のデータ領域にその転送データを書き込み（ステップＳ４０９）、ＰＣ１にＡＣＫパケットを送信する（ステップＳ４１０）。ＡＣＫパケットを受信したＰＣ１は、ＯＵＴトークンと後続する転送データとを送信し（ステップＳ４１１、Ｓ４１２）、これをＵＳＢインターフェース３０経由で受信した携帯電話３の制御部３８（ＵＳＢドライバ制御部３８１）は、主制御部３８０経由で記憶部３７のデータ領域に転送データを書き込み（ステップＳ４１３）、ＰＣ１にＡＣＫパケットを送信する（ステップＳ４１４）。
【００４４】
以上の動作は、データ転送要求に含まれる所定のデータ量だけ繰り返し実行される。なお、ＰＣ１（ＣＰＵ１１）は、マスストレージ用アプリを実行することにより、先に着信問い合わせタイマが起動されており、この着信問い合わせタイマにて計時が満了すると（ステップＳ４１５）、最初のデータ転送で、携帯電話３のＵＳＢドライバ制御部３８１（ＵＳＢドライバ）経由マスストレージクラス制御部３８２（ＭＳＡＰＬ）に対して、ベンダ固有のリクエストを用いて着信の問い合わせを要求する（ステップＳ４１６、Ｓ４１７）。
上記した着信問い合わせ要求を受信したマスストレージクラス制御部３８２は、携帯電話３の通信部３１を使用可状態に設定するための電波ＯＦＦ解除処理を実行する（ステップＳ４１８）。続いて、マスストレージクラス制御部３８２は、主制御部３８０経由で通信処理部３８３を起動し、通信処理部３８３は、不図示の網側装置（メールサーバ）に新着メールの問い合わせを行い（ステップＳ４１９）、結果（新着メールや留守番電話の有無）を取得して主制御部３８０を介してマスストレージクラス制御部３８２に引き渡す（ステップＳ４２０）。
【００４５】
ここで、新着メール等が無いことが確認されると、マスストレージクラス制御部３８２は、主制御部３８０経由で通信処理部３８３に対し、通信部３１を使用不可状態とする電波ＯＦＦ設定処理を実行し（ステップＳ４２１）、主制御部３８０経由でＵＳＢドライバ制御部３８１に対して問い合わせ結果通知（新着メールなし）を発行する（ステップＳ４２２）。
【００４６】
ところで、ＰＣ１（マスストレージ用アプリ）は、ステップＳ４１６にて着信問い合わせ要求発行後、着信問い合わせが完了したか否かを確認するために、携帯電話３のＵＳＢドライバ制御部３８１に対してＩＮトークンを継続して発行しており（ステップＳ４２３、Ｓ４２５）、着信問い合わせが完了していない場合にはＮＡＫパケットが応答として送信されている（ステップＳ４２４、Ｓ４２６）。
ＵＳＢドライバ制御部３８１は、マスストレージクラス制御部３８２から問い合わせ結果通知を受信してから、ＣＰＵ１１がマスストレシージ用アプリを実行することにより受信したＩＮトークンに対し（ステップＳ４２７）、マスストレージクラス制御部３８２から引き渡された問い合わせ結果通知（着信なし）を発行する（ステップＳ４２８）。これを受けたＣＰＵ１１（マスストレージ用アプリ）は、携帯電話３のＵＳＢドライバ制御部３８１に対してＡＣＫ応答を送信し（ステップＳ４２９）、同時に、次回着信問い合わせ用タイマを起動する（ステップＳ４３０）。そして、先の問い合わせ結果によれば、着信が無かったため、次のデータ転送にあたりデータ転送要求（ＷＲＩＴＥ ＤＡＴＡ）を発行し（ステップＳ４３１）、ＯＵＴトークンと転送データとを送信し（ステップＳ４３２、Ｓ４３３）、これを受けた携帯電話３のＵＳＢドライバ制御部３８１は、当該転送データを記憶部３７のデータ領域に書き込み（ステップＳ４３４）、ＣＰＵ１１（マスストレージ用アプリ）に対してＡＣＫ応答を返す（ステップＳ４３５）。
【００４７】
なお、上記した本発明の実施の形態によれば、新着メールの有無はマスストレージクラス制御部３８２（ＭＳＡＰＬ）が通信処理部３８３経由でメールサーバに問い合わせるものとして説明したが、マスストレージクラス制御部３８２（ＭＳＡＰＬ）が、同じく携帯電話３に実装されるメールアプリに対してメール確認要求を発行し、メールアプリがメールサーバに問い合わせてもよい。
【００４８】
次に、図５のシーケンス図を参照しながら、マスストレージモード中の着信問い合わせ動作について説明を行う。
【００４９】
基本的に、ＵＳＢデバイスである携帯電話３は、着信が無い場合に電波ＯＦＦモードに移行しＰＣ１からのデータ転送要求にＡＣＫで応答していた図４に示すマスストレージモード中における着信問い合わせシーケンスにしたがうものとするが（ステップＳ５０１〜Ｓ５１８は、図４のステップＳ４０１〜Ｓ４１８に、ステップＳ５２４〜Ｓ５２７は、図４のステップＳ４２３〜Ｓ４２６のそれぞれに相当する）、着信があった場合に、マスストレージモードを終了するか否かの表示を表示部３６に表示し、ユーザの終了選択によりマスストレージモードを終了している点が異なる。以下にその詳細な説明を行なう。
【００５０】
すなわち、携帯電話３（通信処理部３８３）は、まず、マスストレージクラス制御部３８２による電波ＯＦＦ解除処理後（ステップＳ５１８）、網側装置のメールサーバに対し、通信部３１経由で新着メールの問い合わせを行う（ステップＳ５１９）。ここで、メールサーバから、音声着信（留守番電話）やメール着信がある旨の応答があった場合（ステップＳ５２０）、通信処理部３８３は、主制御部３８０経由でマスストレージクラス制御部３８２にその応答を引き渡し、このことにより、マスストレージクラス制御部３８２は、例えば、「新着メールあり／マスストレージモードを終了しますか」といったメッセージを生成して主制御部３８０経由で表示部３６に表示する（ステップＳ５２１）。
そして、マスストレージクラス制御部３８２は、ユーザが操作部３２を操作することにより取得されるマスストレージモード終了選択要求により（ステップＳ５２２）、ＵＳＢドライバ制御部３８１に対してマスストレージモード終了要求を発行する（ステップＳ５２３）。
【００５１】
マスストレージモード終了要求を受けたＵＳＢドライバ制御部３８１は、ＵＳＢケーブル２のＤ＋ラインをプルダウンすることでＰＣ１に一旦ＵＳＢケーブル切断として見せかけ（電源は供給されたまま）、ＵＳＢケーブル２の再接続要求を発行する（ステップＳ５２８、Ｓ５２９）。
そして、ＵＳＢケーブル２の再接続要求を受けたＰＣ１（ＣＰＵ１１：マスストレージ用アプリ）は、マスストレージモードを終了するため、ＵＳＢデバイスである携帯電話３（ＵＳＢドライバ制御部３８１）との間でＵＳＢケーブル２をモデムモードで接続するためのネゴシエーション処理を開始し（ステップＳ５３０）、モデムネゴシエーションを終了（ステップＳ５３１）して一連のマスストレージモード中における着信ありシーケンスを終了する。
【００５２】
以上説明のように、本発明の実施の形態に係るデータ処理システムによれば、データ転送中、ＰＣ１（マスストレージ用アプリ）は、所定時間経過後の最初のデータの転送が完了するタイミングで着信問い合わせの要求を発行してデータへのアクセス要求を規制し（この間にデータ転送要求を行なわない）、その間に新着メールや留守番電話の確認を自動で行うことにより、ユーザはマスストレージモードで動作中に音声着信やメール受信等の無線通信ができないこと（電波ＯＦＦモード）を意識する必要が無くなり、このため、ユーザビリティの向上がはかれる。
【００５３】
なお、本発明の実施の形態に係るデータ処理システムにおける伝送方法は、例えば、図１〜図３に示されるように、ネットワークに無線接続する通信部３１と、各種データを記憶する第１の記憶部３７と、ＵＳＢプロトコルにしたがいデータ伝送可能な第１のＵＳＢインターフェース３０と、前記通信部３１により着信を監視する着信監視処理と、前記第１の記憶部にアクセスして読み出し処理あるいは書き込み処理とを実行可能な制御を行う第１の制御部３８とを備える携帯無線端末装置（携帯電話３）と、前記第１のＵＳＢインターフェース３０に接続可能な第２のＵＳＢインターフェース１０と、各種データを記憶する第２の記憶部１２と、前記第２のＵＳＢインターフェース１０および第１のＵＳＢインターフェース３０を介して前記携帯無線端末装置（携帯電話３）との間でデータ伝送制御を行う第２の制御部（ＣＰＵ１１）とを備えるコンピュータ（ＰＣ１）とを含んで構成されるデータ処理システムにおける伝送方法であって、例えば、図４のマスストレージ中における着信問い合わせシーケンスに示されるように、前記第１のＵＳＢインターフェース３０と前記第２のＵＳＢインターフェース１０とを介して前記携帯無線端末装置（携帯電話３）と前記コンピュータ（ＰＣ１）との間でネゴシエーション処理を実行するステップ（Ｓ４０１）と、前記携帯無線端末装置（携帯電話３）において前記ネゴシエーション処理が完了すると前記通信部３１を使用不可状態に遷移させるステップ（Ｓ４０２、Ｓ４０３）と、前記携帯無線端末装置（携帯電話３）において前記通信部３１を使用不可状態に遷移させると、前記第１のＵＳＢインターフェース３０を介して前記コンピュータ（ＰＣ１）へ前記通信部３１が使用不可状態に遷移したことを通知するステップと（Ｓ４０４）、前記コンピュータ（ＰＣ１）において前記通信部３１が使用不可状態に遷移したことが通知されると所定時間の計時を開始するステップ（Ｓ４０５）と、前記所定時間中に前記コンピュータ（ＰＣ１）と前記携帯無線端末装置（携帯電話３）との間で、前記第１の記憶部３７に書き込むあるいは読み出すデータを伝送するステップ（Ｓ４０６〜Ｓ４１４）と、前記コンピュータ（ＰＣ１）において所定時間が経過すると前記データ伝送を停止して前記通信部を使用可状態に切り替えるよう前記携帯無線端末装置に通知させるステップ（Ｓ４１５〜Ｓ４１８）と、前記使用可状態への切り替えが通知されると、前記携帯無線端末装置（携帯電話３）に対し、前記通信部３１を使用可状態に切り替えて前記着信監視処理を行なわせるステップ（Ｓ４１９〜Ｓ４２９）と、前記着信監視処理が完了する、あるいは所定時間の経過により前記携帯無線端末装置（携帯電話３）に対して通信部３１を使用不可状態に切り替えさせるステップ（Ｓ４２１）と、を有するものである。
【００５４】
上記した本発明の実施の形態に係るデータ処理システムにおける伝送方法によれば、マスストレージモード中であっても着信を取りこぼすことなくユーザビリティの向上がはかれる。
【００５５】
また、本発明の携帯無線端末装置は、例えば、図２に示されるように、ネットワークに無線接続する通信部３１と、各種データを記憶する記憶部３７と、ＵＳＢプロトコルにしたがいデータ伝送可能なＵＳＢインターフェース３０と、前記通信部３１を使用可状態としているときには前記通信部３１により着信を監視する着信監視処理と、前記記憶部３７にアクセスして読み出し処理あるいは書き込み処理とを実行可能な制御を行う制御部３８と、前記ＵＳＢインターフェース３０に接続される外部機器（例えば、図１、図３に示すＰＣ１）に、前記携帯無線端末装置３との間でデータ伝送制御を行わせる処理手順（例えば、マスストレージ用アプリ）が格納される記憶媒体（例えば、図３のＨＤＤ）とを備え、前記制御部３８は、前記ＵＳＢインターフェース３０に前記外部機器（例えば、図１、図３に示すＰＣ１）が接続されるとネゴシエーション処理を行うとともに、当該ネゴシエーション処理を完了すると前記通信部３１を使用不可状態に遷移させる処理を実行可能であり、前記記憶媒体（例えば、図３のＨＤＤ）は、前記外部機器（例えば、図１、図３に示すＰＣ１）に前記通信部３１が使用不可状態に遷移されると、所定時間の計時を開始させるとともに、前記所定時間が計時されるまで前記記憶部３７に書き込むあるいは読み出すデータを前記携帯無線端末装置３に伝送させる処理と、前記所定時間が計時されると前記通信部３１の通信可状態への遷移を前記携帯無線端末装置３に要求させる処理と、前記携帯無線端末装置３での前記着信監視処理の結果、着信が生じていなければ、再度、前記通信部３１を使用不可状態に遷移するよう要求させる処理とを記録する。
【００５６】
上記した本発明の実施の形態に係る携帯無線端末装置によれば、マスストレージモード中であっても一定時間ごとにコンピュータからのデータ転送要求に対してＮＡＫ応答を行うことによりデータへのアクセスを規制し、その間に新着メールや留守番電話の確認を自動で行うことにより、ユーザはマスストレージモードで動作中に音声着信やメール受信等の無線通信ができないこと（電波ＯＦＦモード）を意識する必要が無くなり、このため、ユーザビリティの向上がはかれる。また、マスストレージモードにおいて、ＵＳＢケーブル抜けや電池切れの監視は勿論のこと、ＵＳＢ通信によるデータ転送中に無線通信による音声着信やメール受信等があった場合にも記憶領域の破損やデータ損失などが懸念はなくなる。
【００５７】
なお、本発明によれば、マスストレージ用アプリで実行される手順をコンピュータ読み取り可能な記録媒体に記録し、この記録媒体に記録されたプログラムをＰＣ１等のコンピュータに読み込ませ、実行することによって本発明のデータ処理システムを実現することができるものである。ここでいうコンピュータとは、ＯＳや周辺機器等のハードウェアを含む。また、記録媒体とは、例えば、ＣＤ（Compact Disc）やＤＶＤ（Digital Versatile Disc）等の光記録媒体、あるいはハードディスクやフレキシブルディスク等の磁気記録媒体、あるいはメモリカード等の半導体記録媒体をいう。
また、上記したプログラムは、このプログラムを記録媒体等に格納したコンピュータシステムから、伝送媒体を介し、あるいは伝送媒体中の伝送波により他のコンピュータシステムに伝送されてもよい。ここで、プログラムを伝送する「伝送媒体」とは、インターネット等のネットワーク（通信網）や電話回線等の通信回線（通信線）のように情報を伝送する機能を有する媒体のことをいう。また、プログラムは、上記した機能の一部を実現するためのものであってもコンピュータシステムにすでに記録されているプログラムとの組合せで実現できるもの、いわゆる差分ファイル（差分プログラム）であっても良い。
【００５８】
なお、上記した本発明の実施の形態に係る携帯無線端末装置によれば、マスストレージデバイスとして携帯電話３のみ例示したが、同様の構成を有するＰＤＡ（Personal Digital Assistants）、やゲーム機、ナビゲーションシステム等にも同様に適用が可能である。
また、図２に示す本発明の実施の形態に係る携帯無線端末装置が有する各構成ブロックの機能は、全てをソフトウェアによって実現しても、あるいはその少なくとも一部をハードウェアで実現してもよい。例えば、通信部３１、音声処理部３３、制御部３８（主制御部３８０、ＵＳＢドライバ制御部３８１、マスストレージクラス制御部３８２、通信処理部３８３）におけるデータ処理は、１または複数のプログラムによりコンピュータ上で実現してもよく、また、その少なくとも一部をハードウェアで実現してもよい。
【００５９】
なお、上記の説明において、ＵＳＢインターフェースとＵＳＢプロトコルを用いた例を用いて本発明の説明を行ったが、これに限定されるものではない。Ｂｌｕｅｔｏｏｔｈ（商標）規格やＩｒＤＡ規格、その他IＥＥＥなどで定められた様々なプロトコルとインターフェースによっても実現可能である。
【図面の簡単な説明】
【００６０】
【図１】本発明の実施の形態に係るデータ処理システムシステム構成の一例を示す図である。
【図２】図１に示す携帯無線端末装置（携帯電話）の内部構成を示すブロック図である。
【図３】図１に示すコンピュータ（ＰＣ）の内部構成の一例を示すブロック図である。
【図４】本発明の実施の形態に係るデータ処理システムのマスストレージモード中における着信問い合わせシーケンスを示す図である。
【図５】本発明の実施の形態に係るデータ処理システムのマスストレージモード中における着信ありシーケンスを示す図である。
【図６】従来のマスストレージモード開始／終了の動作シーケンスを示す図である。
【符号の説明】
【００６１】
１…コンピュータ（ＰＣ）、２…ＵＳＢケーブル、３…携帯無線端末装置（携帯電話）、１０…第２のＵＳＢインターフェース、１１…第２の制御部（ＣＰＵ）、１２…第２の記憶部（主メモリ）、３０…第１のＵＳＢインターフェース、３１…通信部、３２…操作部、３３…音声処理部、３４…スピーカ（ＳＰ）、３５…マイク（ＭＩＣ）、３６…表示部、３７…第１の記憶部、３８…制御部、３８０…主制御部、３８１…ＵＳＢドライバ制御部（ＵＳＢドライバ）、３８２…マスストレージクラス制御部（マスストレージアプリ）、３８３…通信処理部。
【図１】
2008278060.tif 000003
【図２】
2008278060.tif 000004
【図３】
2008278060.tif 000005
【図４】
2008278060.tif 000006
【図５】
2008278060.tif 000007
【図６】
2008278060.tif 000008